(57)【要約】【課題】採血管内の採取血液を移し替える操作を省略できて、血液を採取したのち非常に短い時間で血液の粘度測定を開始できる落体式血液粘度測定方法を提供する。【解決手段】この発明の落体式血液粘度測定方法は、落体導入用貫通路２０が形成されたニードル体４を、中に血液が採取された採血管３の密封栓２３に貫通せしめる工程と、前記ニードル体４の落体導入用貫通路２０を介して略針状落体２を前記採血管３内に導入して血液６０中を落下させる工程と、前記採血管３内の血液６０中を落下する略針状落体２の落下終端速度又は落下加速度を測定することにより血液６０の粘度を求める工程とを包含することを特徴とする。【選択図】図６
2007127469.tif 000002
【特許請求の範囲】
【請求項１】
落体導入用貫通路が形成されたニードル体を、中に血液が採取された採血管の密封栓に貫通せしめる工程と、
前記ニードル体の落体導入用貫通路を介して略針状落体を前記採血管内に導入して血液中を落下させる工程と、
前記採血管内の血液中を落下する略針状落体の落下終端速度又は落下加速度を測定することにより血液の粘度を求める工程とを包含することを特徴とする落体式血液粘度測定方法。
【請求項２】
密度の異なる複数の略針状落体をそれぞれ落下させて各落体毎に落下終端速度又は落下加速度を測定する請求項１に記載の落体式血液粘度測定方法。
【請求項３】
所定温度に制御された液体が循環供給される恒温槽内に前記採血管を配置せしめた状態で前記落体を落下させて測定を行う請求項１または２に記載の落体式血液粘度測定方法。
【請求項４】
前記略針状落体として、密度１．０ｇ／ｃｍ3以上の錘を中に封入した合成樹脂製の略針状体を用いる請求項１〜３のいずれか１項に記載の落体式血液粘度測定方法。
【請求項５】
前記略針状体を構成する合成樹脂がオレフィン樹脂である請求項４に記載の落体式血液粘度測定方法。
【請求項６】
略針状落体と、
密封栓によって密栓されてなる採血管と、
前記略針状落体の通過を許容する落体導入用貫通路が形成されたニードル体であって、前記採血管の密封栓に対して貫通状態に刺入されるニードル体と、
前記採血管内を落下する略針状落体の落下終端速度又は落下加速度を検出する検出手段とを備えることを特徴とする落体式血液粘度測定装置。
【請求項７】
密度の異なる複数の略針状落体と、
密封栓によって密栓されてなる採血管と、
前記略針状落体の通過を許容する落体導入用貫通路が形成されたニードル体であって、前記採血管の密封栓に対して貫通状態に刺入されるニードル体と、
前記採血管内を落下する各略針状落体の落下終端速度又は落下加速度を検出する検出手段とを備えることを特徴とする落体式血液粘度測定装置。
【請求項８】
所定温度に制御された液体が循環供給される恒温槽をさらに備える請求項６または７に記載の落体式血液粘度測定装置。
【請求項９】
前記検出手段は、前記恒温槽に固定されている請求項８に記載の落体式血液粘度測定装置。
【請求項１０】
前記ニードル体は、取付基体に貫通した状態で該取付基体に固定されている請求項６〜９のいずれか１項に記載の落体式血液粘度測定装置。
【請求項１１】
前記略針状落体は、密度１．０ｇ／ｃｍ3以上の錘を中に封入した合成樹脂製の略針状体からなる請求項６〜１０のいずれか１項に記載の落体式血液粘度測定装置。
【請求項１２】
前記略針状体を構成する合成樹脂がオレフィン樹脂である請求項１１に記載の落体式血液粘度測定装置。
【発明の詳細な説明】
【技術分野】
【０００１】
この発明は、血液を採取したのち非常に短い時間で血液の粘度測定を開始することを可能ならしめる落体式血液粘度測定方法及び落体式血液粘度測定装置に関する。
【背景技術】
【０００２】
近年、人の血液の粘度に関して非常に関心が高まっている。例えば、一般に「ドロドロ血液」では健康状態が良くない状態であるとされ、これを「サラサラ血液」にするために効果のある食品や成分の紹介が新聞やテレビ等で多く行われている。このような血液の粘度特性を把握することができれば、血液疾患の予測が可能になったり、病気を早期に発見することも可能になると言われている。
【０００３】
従来、流体の粘度を測定する装置としては、流体を満たした円筒状測定容器内を落下する円柱状落体の落下終端速度を測定することにより流体の粘度を求める落体式粘度測定装置が公知である（特許文献１参照）。
【特許文献１】特開平８−２１９９７３号公報
【発明の開示】
【発明が解決しようとする課題】
【０００４】
上記粘度測定装置を用いて血液の粘度を測定する際には、例えば、人等の動物の体から血液を採血管に採取した後、この採血管内の採取血液を粘度測定装置の測定容器内に移し替えて粘度測定を開始することになる。
【０００５】
一般に、血液は、空気に触れると凝固作用によって徐々に凝固していくことから、通常の血液検査においては採取血液に抗凝固剤を添加している。この抗凝固剤の添加は、成分分析にはそれほど影響しないが、血液の状態を評価する粘度測定には大きく影響する。そのため、血液の粘度を測定するためには、抗凝固剤を添加せず、且つ血液の凝固が始まらないように血液を採取してから３分以内に粘度測定を完了するのが望ましい。いずれにせよ血液の粘度測定を精度高く行うためには、血液採取後できるだけ速やかに（短時間で）粘度測定を開始することが重要である。
【０００６】
しかるに、上記粘度測定装置では、血液の粘度測定に際し、採血管内に採取した血液を粘度測定装置の測定容器内に移し替える操作を要するために、血液を採取してから３分を超えないまでも、粘度測定開始までに少なからず時間を要するものとなっていた。また、採取血液の測定容器内への移し替えの際に、採取血液の空気との接触機会が増大して血液凝固を促進させることも懸念されるところである。
【０００７】
このような背景から、血液を採取してから粘度測定を開始するに至るまでの時間を短縮できる手段、方法の開発が求められていた。
【０００８】
この発明は、かかる技術的背景に鑑みてなされたものであって、採血管内の採取血液を移し替える操作を省略できて、血液を採取したのち非常に短い時間で血液の粘度測定を開始することのできる落体式血液粘度測定方法及び落体式血液粘度測定装置を提供することを目的とする。
【課題を解決するための手段】
【０００９】
前記目的を達成するために、本発明は以下の手段を提供する。
【００１０】
［１］落体導入用貫通路が形成されたニードル体を、中に血液が採取された採血管の密封栓に貫通せしめる工程と、
前記ニードル体の落体導入用貫通路を介して略針状落体を前記採血管内に導入して血液中を落下させる工程と、
前記採血管内の血液中を落下する略針状落体の落下終端速度又は落下加速度を測定することにより血液の粘度を求める工程とを包含することを特徴とする落体式血液粘度測定方法。
【００１１】
［２］密度の異なる複数の略針状落体をそれぞれ落下させて各落体毎に落下終端速度又は落下加速度を測定する前項１に記載の落体式血液粘度測定方法。
【００１２】
［３］所定温度に制御された液体が循環供給される恒温槽内に前記採血管を配置せしめた状態で前記落体を落下させて測定を行う前項１または２に記載の落体式血液粘度測定方法。
【００１３】
［４］前記略針状落体として、密度１．０ｇ／ｃｍ3以上の錘を中に封入した合成樹脂製の略針状体を用いる前項１〜３のいずれか１項に記載の落体式血液粘度測定方法。
【００１４】
［５］前記略針状体を構成する合成樹脂がオレフィン樹脂である前項４に記載の落体式血液粘度測定方法。
【００１５】
［６］略針状落体と、密封栓によって密栓されてなる採血管と、前記略針状落体の通過を許容する落体導入用貫通路が形成されたニードル体であって、前記採血管の密封栓に対して貫通状態に刺入されるニードル体と、前記採血管内を落下する略針状落体の落下終端速度又は落下加速度を検出する検出手段とを備えることを特徴とする落体式血液粘度測定装置。
【００１６】
［７］密度の異なる複数の略針状落体と、密封栓によって密栓されてなる採血管と、前記略針状落体の通過を許容する落体導入用貫通路が形成されたニードル体であって、前記採血管の密封栓に対して貫通状態に刺入されるニードル体と、前記採血管内を落下する各略針状落体の落下終端速度又は落下加速度を検出する検出手段とを備えることを特徴とする落体式血液粘度測定装置。
【００１７】
［８］所定温度に制御された液体が循環供給される恒温槽をさらに備える前項６または７に記載の落体式血液粘度測定装置。
【００１８】
［９］前記検出手段は、前記恒温槽に固定されている前項８に記載の落体式血液粘度測定装置。
【００１９】
［１０］前記ニードル体は、取付基体に貫通した状態で該取付基体に固定されている前項６〜９のいずれか１項に記載の落体式血液粘度測定装置。
【００２０】
［１１］前記略針状落体は、密度１．０ｇ／ｃｍ3以上の錘を中に封入した合成樹脂製の略針状体からなる前項６〜１０のいずれか１項に記載の落体式血液粘度測定装置。
【００２１】
［１２］前記略針状体を構成する合成樹脂がオレフィン樹脂である前項１１に記載の落体式血液粘度測定装置。
【発明の効果】
【００２２】
［１］の発明では、内部に落体導入用貫通路が形成されたニードル体を、血液の入った採血管の密封栓に貫通せしめて該ニードル体の落体導入用貫通路を介して略針状落体を採血管内に導入するだけで粘度測定を開始することができ、血液の粘度測定に際し従来技術のように採血管内の採取血液を粘度測定装置の測定容器内に移し替える操作をする必要がないので、この血液粘度測定方法を用いれば、血液を採取したのち非常に短時間で（速やかに）血液の粘度測定を開始することができる。従って、この発明の血液粘度測定方法を用いれば、血液の粘度測定を精度高く行うことが可能となる。
【００２３】
［２］の発明では、密度の異なる複数の略針状落体をそれぞれ落下させて各落体毎に落下終端速度又は落下加速度を測定して血液粘度を求めるから、血液の粘度測定をより精度高く行うことができる。
【００２４】
［３］の発明では、所定温度に制御された液体が循環供給される恒温槽内に採血管を配置せしめた状態で落体を落下させて測定を行うので、一定の温度条件の中での血液の粘度測定が可能になる。
【００２５】
［４］の発明では、略針状落体として、密度１．０ｇ／ｃｍ3以上の錘を中に封入した合成樹脂製の略針状体を用いるので、略針状落体の表面に血液がこびり付くことがなく、従って血液の粘度測定を精度高く行うことができる。
【００２６】
［５］の発明では、略針状体を構成する合成樹脂がオレフィン樹脂であるので、落体の表面への血液のこびり付きを確実に防止することができ、これにより血液の粘度測定の精度をさらに向上させることができる。
【００２７】
［６］［７］の発明では、内部に落体導入用貫通路が形成されたニードル体を、血液の入った採血管の密封栓に貫通せしめて該ニードル体の落体導入用貫通路を介して略針状落体を採血管内に導入するだけで粘度測定を開始することができ、血液の粘度測定に際し従来技術のように採血管内の採取血液を粘度測定装置の測定容器内に移し替える操作をする必要がないので、この落体式血液粘度測定装置を用いれば、血液を採取したのち非常に短時間で（速やかに）血液の粘度測定を開始することができる。従って、この発明の落体式血液粘度測定装置を用いれば、血液の粘度測定を精度高く行うことが可能となる。更に［７］の発明では、密度の異なる複数の略針状落体を用いて測定できるので、血液の粘度測定をより精度高く行うことができる。
【００２８】
［８］の発明では、所定温度に制御された液体が循環供給される恒温槽をさらに備えるから、一定の温度条件の中での血液の粘度測定が可能になる。
【００２９】
［９］の発明では、検出手段は恒温槽に固定されているから、装置の小型化を図り得ると共により精度の高い粘度測定を行い得る。
【００３０】
［１０］の発明では、ニードル体は、取付基体に貫通した状態で該取付基体に固定されているから、ニードル体を採血管の密封栓に貫通せしめる際の貫通操作が非常に容易化される。
【００３１】
［１１］の発明では、略針状落体は、密度１．０ｇ／ｃｍ3以上の錘を中に封入した合成樹脂製の略針状体からなるので、略針状落体の表面に血液がこびり付くことがなく、従って血液の粘度測定を精度高く行うことができる。
【００３２】
［１２］の発明では、略針状体を構成する合成樹脂がオレフィン樹脂であるので、落体の表面への血液のこびり付きを確実に防止することができ、これにより血液の粘度測定の精度をさらに向上させることができる。
【発明を実施するための最良の形態】
【００３３】
この発明に係る落体式血液粘度測定方法で用いる落体式血液粘度測定装置（１）の一実施形態を図１に示す。この落体式血液粘度測定装置（１）は、略針状落体（２）、採血管（３）、ニードル体（４）、検出手段（５）及び恒温槽（６）を備えてなる。
【００３４】
前記採血管（３）は、図１に示すように、合成樹脂からなる有底管体（２２）の上端開口部が弾性体からなる密封栓（２３）によって密栓されたものからなる。前記密栓された有底管体（２２）の内部空間は、即ち採血管（３）の内部空間は、減圧処理されて減圧状態になっている、即ち大気圧より低い減圧状態になっている。前記密封栓（２３）としては、ニードル体（４）をこれ（２３）に貫通できる部材であれば特に限定されないが、中でも、ゴム、熱可塑性エラストマー等の弾性体が好適である。
【００３５】
前記略針状落体（２）は、密度１．０ｇ／ｃｍ3以上の錘（１２）を中に封入した合成樹脂製の略針状体（１１）からなる。本実施形態では、図３に示すように、有底円筒状の合成樹脂製の略針状体（１１）の内部に金属製錘（１２）が配置されると共に略針状体（１１）の上部開口端にキャップ（１３）が嵌合されてなる略針状落体（２）が用いられている。本実施形態では、前記略針状落体（２）として、密度の異なる複数の略針状落体を用いている（図１参照）。
【００３６】
前記ニードル体（針体）（４）は、図２に示すように、長さ方向の一端に先鋭な針刺し部を有した針体からなる。このニードル体（４）の内部には、ニードル体（４）の軸線方向に沿って落体導入用貫通路（２０）が形成されている。この落体導入用貫通路（２０）の直径は、前記落体（２）の通過を許容できる大きさに設定されている。前記ニードル体（４）は、図２に示すように、盤状の取付基体（２１）の中央部に貫通した状態で該取付基体（２１）に固定されている。
【００３７】
前記恒温槽（６）は、図１に示すように、有底筒状体からなる恒温槽である。この恒温槽（６）の上端側に排出口（３２）が設けられ、該恒温槽（６）の下端側に導入口（３１）が設けられている。しかして、前記導入口（３１）に供給された水等の液体は、前記恒温槽（６）の内部空間を通過した後、前記排出口（３２）から出て恒温制御ユニット部（図示しない）に戻る。この恒温制御ユニット部では、加熱装置等により水等の液体を一定温度に制御する。前記恒温制御ユニット部に戻された水等の液体は、ここで所定温度に調整された後、再び前記導入口（３１）に供給されて、これらの間を循環することによって前記恒温槽（６）内に配置される採血管（３）内の血液の温度を一定温度に保つことができる。
【００３８】
前記恒温槽（６）の長手方向（高さ方向）の中間部の外側に、採血管（３）内を落下する略針状落体（２）の落下終端速度を検出する検出手段（５）が配置されている。本実施形態では、検出手段（５）として一対の磁気センサー（５Ａ）（５Ｂ）及び計測装置（５Ｃ）が用いられている。即ち、上側の磁気センサー（５Ａ）は恒温槽（６）の高さの二等分位置より上側の位置に配置される一方、下側の磁気センサー（５Ｂ）は恒温槽（６）の高さの二等分位置より下側の位置に配置され、このように両磁気センサー（５Ａ）（５Ｂ）は所定間隔をあけて配置されている（図１参照）。また前記計測装置（５Ｃ）は、上側の磁気センサー（５Ａ）からの検知信号を受けた後、下側の磁気センサー（５Ｂ）からの検知信号を受けるまでの時間を計測する装置である。この計測装置（５Ｃ）により、採血管（３）内において落体（２）が上側の磁気センサー（５Ａ）から下側の磁気センサー（５Ｂ）の位置まで落下するのに要した時間を各落体（２）毎に得ることができる。なお、前記「落下終端速度」とは、流体（血液）中を等速度落下運動しているときの速度のことである。
【００３９】
しかして、上記構成からなる落体式血液粘度測定装置（１）を用いた血液の粘度測定方法の一例について説明する。
【００４０】
まず、恒温槽（６）に連結されている恒温制御ユニット部を運転状態とし、この恒温槽（６）内に所定温度に調整された水等の液体を流しておく。
【００４１】
次いで、図４に示すように、ホルダ（２７）の先端部に貫通状態に固定された針（２８）を人体の皮膚（２９）に刺し入れた後、前記採血管（３）をホルダ（２７）内に挿入していくことによって前記針（２８）を前記密封栓（２３）に貫通せしめて該針（２８）の先端を採血管（３）の内部空間内に配置せしめる。この時、採血管（３）の内部空間は減圧状態になっているので採血管（３）の内部に血液（６０）が採血される。
【００４２】
次に、図５に示すように、内部に血液（６０）が採血された採血管（３）の密封栓（２３）に前記ニードル体（４）を貫通状態に刺し入れる（刺入する）ことによって、ニードル体（４）の先鋭な針刺し部を前記採血管（３）の内部空間内に配置せしめる。これにより、ニードル体（４）の落体導入用貫通路（２０）を介して採血管（３）の内部空間と外部とが連通状態になる。この時、前記取付基体（２１）は、前記採血管（３）の上部の密封栓（２３）の上面に当接した状態で固定される。
【００４３】
次いで、前記採血管（３）を前記恒温槽（６）内に配置せしめる。この時、図６に示すように、前記採血管（３）の上部に固定された取付基体（２１）の周縁部が、前記恒温槽（６）の上端縁に当接することによって（蓋をすることによって）、前記恒温槽（６）内において前記採血管（３）が吊り下げられた状態に配置されるものとなる。
【００４４】
しかる後、前記ニードル体（４）の落体導入用貫通路（２０）に略針状落体（２）を挿通して落体導入用貫通路（２０）を落下させることによって略針状落体（２）を前記採血管（３）内に導入する。こうして採血管（３）内に導入された略針状落体（２）は、採血管（３）内の血液（６０）中を落下する（図６参照）。落体（２）が上側の磁気センサー（５Ａ）を通過した時に、計測装置（５Ｃ）は上側の磁気センサー（５Ａ）からの検知信号を受け、その後落体（２）が下側の磁気センサー（５Ｂ）を通過した時に、計測装置（５Ｃ）は下側の磁気センサー（５Ｂ）からの検知信号を受け、これらにより、計測装置（５Ｃ）は、落体（２）が上側の磁気センサー（５Ａ）から下側の磁気センサー（５Ｂ）の位置まで落下するのに要した時間を算出する。求められた落下時間と磁気センサー（５Ａ）（５Ｂ）間の距離とから各落体（２）の落下終端速度Ｕｔを算出する。
【００４５】
次に、前記得られた落体（２）の落下終端速度Ｕｔを用いて血液粘度を求める方法について説明する。
【００４６】
図７は、略針状落体（２）が落下している時の状態を示す概念図であり、図８は、落下する略針状落体（２）が押し退ける血液（６０）の移動方向を示す速度断面図である。これら図７、図８において、「Ｌ」は略針状落体（２）の長さ、「ｋＲ」は略針状落体（２）の半径、「Ｒ」は採血管（３）の半径であり、また（５０）は落下する落体により押し退けられる落体周囲の流体要素としての微小円柱殻であり、「ｒ」は微小円柱殻の内半径、「ｒ＋ｄｒ」は微小円柱殻の外半径、「Ｌ」は微小円柱殻の長さである。
【００４７】
略針状落体（２）の落下速度が０．１×１０-3ｍ／ｓ〜０．１８ｍ／ｓと非常に小さく、血液と落体の間および血液と採血管内壁面の間には滑りが発生せず、血液は非圧縮性であり、管内流動は層流であるという条件（仮定）の下で、採血管（３）に満たされた血液（６０）の中央を略針状落体（２）が落下終端速度Ｕｔで落下すると、図７に示すように、微小円柱殻（５０）の上面及び下面にはそれぞれ圧力ｐ1、ｐ2が働き、内側面及び外側面にはそれぞれ剪断応力τ、τ＋ｄτが働く。また、血液は等速落下運動をしているので、運動量増加速度は０となる。従って、このときの微小円柱殻（５０）に働く力の釣り合いから以下の関係式＜１＞が成り立つ。
【００４８】
【数１】
2007127469.tif 000003
【００４９】
但し、△ｐ＝ｐ1−ｐ2  （△ｐ＜０）である。
【００５０】
また、このとき、落体（２）の壁面と採血管（３）の内壁面には滑りが生じないと仮定しているので、速度に関する境界条件として以下の関係式＜２＞が成り立つ。
【００５１】
【数２】
2007127469.tif 000004
【００５２】
また、落体（２）の壁面と採血管（３）の内壁面との間に形成される環状流路を単位時間当たりに通過する血液の量は落体（２）が押し退ける血液の量と等しいので、以下の関係式＜３＞が成り立つ。
【００５３】
【数３】
2007127469.tif 000005
【００５４】
さらに、落体（２）の壁面において、重力、浮力、圧力及び粘性力が釣り合っているので、以下の関係式＜４＞が成り立つ。
【００５５】
【数４】
2007127469.tif 000006
【００５６】
以上の式＜１＞〜＜４＞に、血液の構成方程式（Ｎｅｗｔｏｎ流体の構成方程式）である式＜５＞を連立させることによって、血液の粘度を解析することができる。即ち、血液は、凝固する前の状態であればＮｅｗｔｏｎ流体であるから、式＜１＞〜＜４＞にＮｅｗｔｏｎ流体の構成方程式である式＜５＞を連立させることによって、血液の粘度を解析することができる。例えば、密度の異なる複数の略針状落体（２）毎に血液粘度を求めて、これらの平均値を血液粘度の測定値として採用する。
【００５７】
【数５】
2007127469.tif 000007
【００５８】
式＜５＞において、τは剪断応力、γ（ガンマ）は剪断速度、μ（ミュー）は血液の粘度である。
【００５９】
この発明において、前記採血管（３）の有底管体（２２）を構成する素材は、特に限定されるものではないが、ポリエチレン、ポリプロピレン等のオレフィン樹脂を用いるのが好ましい。この場合には、有底管体（２２）の内面への血液のこびり付きを十分に防止することができるので、血液の粘度測定をより精度高く行うことができる。
【００６０】
また、前記略針状体（１１）を構成する合成樹脂としては、特に限定されるものではないが、ポリエチレン、ポリプロピレン等のオレフィン樹脂を用いるのが好ましい。この場合には、落体（２）の表面への血液のこびり付きを確実に防止することができ、血液の粘度測定をより精度高く行うことができる利点がある。なお、合成樹脂からなる略針状体（１１）の表面に、気泡が付着するのを防止するためのコーティング層が形成されても良い。このような気泡付着防止コーティング層としては、例えば親水性コーティング層を例示できる。
【００６１】
また、前記密度１．０ｇ／ｃｍ3以上の錘（１２）としては、密度が１．０ｇ／ｃｍ3以上の材料からなるものであればその材質は特に限定されないが、金属製の錘が好適である。また、前記錘（１２）は、塊状、粒体、粉体等どのような形態であっても良い。このような錘（１２）の封入量を変えることで密度の異なる略針状落体（２）を製作することができる。血液の粘度測定を行うには、密度０．７〜２．０ｇ／ｃｍ3の範囲で密度の異なる複数個の略針状落体（２）を用いるのが好ましい。また、前記錘（１２）は、略針状体（１１）の下方部に封入されるのが好ましく、この場合には落体（２）の重心が低くなるので、落下挙動が安定するという効果が得られる。
【００６２】
前記略針状落体（２）の大きさとしては、特に限定されないものの、より少量の血液量での粘度測定を可能にすると共に粘度測定の精度を向上させる観点から、外径（ｍ1、ｍ2）が０．５〜３ｍｍ、長さ（Ｌ）が５〜１００ｍｍの範囲に設定されるのが好ましい。図３において、ｍ1＝ｍ2、ｍ1＞ｍ2、ｍ1＜ｍ2、いずれの関係が成立する構成でも良い。なお、前記略針状落体（２）の密度とは、見かけ密度を意味するものであり、落体（２）の質量を落体の体積（空隙部を含めた体積）で除した値である。
【００６３】
なお、前記実施形態では、検出手段（５）として、一対の磁気センサー（５Ａ）（５Ｂ）及び計測装置（５Ｃ）が用いられているが、特にこのような構成のものに限定されるものではなく、落下する略針状落体（２）の落下終端速度を検出できる手段であればどのようなものでも良い。
【００６４】
また、前記実施形態では、略針状落体（２）の落下終端速度を測定することにより血液の粘度を求めているが、これに代えて略針状落体（２）の落下加速度を測定することにより血液の粘度を求めるようにしても良い。このような落体（２）の落下加速度を測定する検出手段（５）としては、上下方向（落体の落下方向）に離間して配置された３つ以上の磁気センサー及び計測装置からなる構成等が挙げられる。
【００６５】
また、前記実施形態では、密度の異なる複数の略針状落体（２）を落下させて測定を行うものとしているが、特にこれに限定されるものではなく、１つの略針状落体（２）を落下させてその落下終端速度又は落下加速度を測定することにより血液の粘度を求めるようにしても良い。
【実施例】
【００６６】
次に、この発明の具体的実施例について説明するが、本発明はこれら実施例のものに特に限定されるものではない。
【００６７】
＜実施例１＞
４０歳の男性の血液を図１に示す採血管（３）内に採取した後、図１に示す構成からなる血液粘度測定装置（１）を用いて前項で説明した手順に従って血液の粘度測定を行った（図５、６参照）。採血管（３）の内径は８ｍｍ、長さは９０ｍｍであり、採血管（３）の内容量は５ｍＬであった。略針状落体（２）の長さ（Ｌ）は２０ｍｍ、上方側の外径（ｍ1）は２．０ｍｍ、下方側の外径（ｍ2）は２．０ｍｍであった。また、略針状落体（２）（２）（２）（２）の密度はそれぞれ１．５３８、１．４６０、１．３８５、１．３６０ｇ／ｃｍ3であった。また、採取した血液の密度は１．０５５６ｇ／ｃｍ3であった。採血管（３）内の血液の温度が３７．０℃になるように恒温制御ユニット部を制御して測定を行った。
【００６８】
各略針状落体（２）が一方の磁気センサー（５Ａ）から他方の磁気センサー（５Ｂ）の位置まで落下するのに要した時間と、これより求められた各落体（２）の落下終端速度Ｕｔを表１に示す。
【００６９】
【表１】
2007127469.tif 000008
【００７０】
式＜１＞〜式＜４＞の４式とＮｅｗｔｏｎ流体の構成方程式＜５＞とを連立させて血液の粘度μを算出した。これらの平均値から、この血液の粘度μは５．３０ｍＰａ・ｓｅｃであることがわかった。
【産業上の利用可能性】
【００７１】
この発明の落体式血液粘度測定方法及び落体式血液粘度測定装置では、内部に落体導入用貫通路が形成されたニードル体を、採取血液の入った採血管の密封栓に貫通せしめて該ニードル体の落体導入用貫通路を介して略針状落体を採血管内に導入するだけで粘度測定を開始することができ、このように血液を採取したのち非常に短時間で血液の粘度測定を開始することができるので、血液の粘度測定を精度高く行うことができて、血液疾患の予測や病気の早期発見に役立てることができる。
【図面の簡単な説明】
【００７２】
【図１】この発明に係る落体式血液粘度測定装置の一実施形態を示す断面図である。
【図２】取付基体に固定されたニードル体の拡大断面図である。
【図３】略針状落体の一実施形態を示す断面図である。
【図４】採血管を用いた採血状態を示す模式図である。
【図５】ニードル体を採血管の密封栓に貫通せしめた状態を示す断面図である。
【図６】ニードル体の落体導入用貫通路を介して略針状落体を採血管内に導入して血液中を落下させている状態を示す断面図である。
【図７】略針状落体が落下している時の状態を示す概念図である。
【図８】落下する略針状落体が押し退ける血液の移動方向を示す速度断面図である。
【符号の説明】
【００７３】
１…落体式血液粘度測定装置
２…略針状落体
３…採血管
４…ニードル体
５…検出手段
６…恒温槽
１１…略針状体
１２…錘
２０…落体導入用貫通路
２１…取付基体
２２…有底管体
２３…密封栓
６０…血液
【図１】
2007127469.tif 000009
【図２】
2007127469.tif 000010
【図３】
2007127469.tif 000011
【図４】
2007127469.tif 000012
【図５】
2007127469.tif 000013
【図６】
2007127469.tif 000014
【図７】
2007127469.tif 000015
【図８】
2007127469.tif 000016